(57)【要約】【課題】膜電極接合体を備える燃料電池において、オフガスの出口領域における電解質膜の乾燥を抑制する。【解決手段】アノード側セパレータ１００は、サーペンタイン型のガス流路４０，４２，４４，４６，４８と、貯水部４４ｅと、出口バッファ部５０と、隔壁５２と、アノードオフガス導出流路６０と、アノードオフガス排出部７０と、を備える。貯水部４４ｅは、ガス流路４８から分岐して接続され、ガス流路４８を流れる水素の一部を分岐して導入し、導入した水素に含まれる水を一時的に貯水する。貯水部４４ｅは、膜電極接合体のアノードと対向する部位において、出口バッファ部５０の鉛直上方に隣接して設けられる。貯水部４４ｅは、貯水した水が膜電極接合体のアノードと接触するように形成される。隔壁５２は、膜電極接合体のアノードと対向する部位において、貯水部４４ｅと出口バッファ部５０とを隔離する。【選択図】図１
2013110058.tif 000002
【特許請求の範囲】
【請求項１】
燃料電池用セパレータであって、
電解質膜の両面に電極を接合してなる膜電極接合体における前記電極の表面に沿って発電に供する反応ガスが蛇行して流れるように形成されたサーペンタイン型のガス流路と、
前記燃料電池用セパレータの厚さ方向に貫通し、前記電極から排出されたオフガスを前記燃料電池の外部に排出するためのオフガス排出部と、
前記ガス流路の終端に接続され、該ガス流路の終端から排出された前記オフガスが流入するバッファ部であって、前記電極と対向する内壁面に、該内壁面から前記電極の表面側に向かって突起し、前記電極と当接する複数の突起部が形成されたバッファ部と、
前記バッファ部に流入した前記オフガスを前記オフガス排出部に導出するためのオフガス導出流路と、
前記ガス流路から分岐して接続され、該ガス流路を流れる前記反応ガスの一部を分岐して導入し、該導入した前記反応ガスに含まれる水を一時的に貯水する貯水部であって、前記電極と対向する部位において、前記バッファ部の鉛直上方に隣接して設けられ、前記燃料電池用セパレータを前記膜電極接合体に積層したときに、貯水した水が前記電極と接触するように形成された貯水部と、
前記電極と対向する部位において、前記貯水部と前記バッファ部とを隔離する隔壁と、
を備える燃料電池用セパレータ。
【請求項２】
請求項１記載の燃料電池用セパレータであって、
前記ガス流路は、
前記反応ガスを水平方向に沿った第１の方向に流すための第１のガス流路と、
前記第１のガス流路の終端に接続され、前記第１のガス流路から流入した前記反応ガスを鉛直下方に流すための第２のガス流路と、
前記第２のガス流路の終端に接続され、前記第２のガス流路から流入した前記反応ガスを前記第１の方向と対向する第２の方向に流すための第３のガス流路と、
を含み、
前記バッファ部は、前記第３のガス流路の終端に接続されており、
前記貯水部は、前記第１のガス流路から分岐して接続されており、該第１のガス流路を流れる前記反応ガスの一部を分岐して導入する、
燃料電池用セパレータ。
【請求項３】
請求項２記載の燃料電池用セパレータであって、
前記第３のガス流路の終端と、前記バッファ部と、前記オフガス導出流路とは、水平方向に並べて配置されており、
前記オフガス導出流路の上端は、前記第３のガス流路の上端よりも鉛直下方に配置されており、
前記隔壁は、前記第３のガス流路の上端から前記オフガス導出流路の上端に亘って、連続的に傾斜して設けられた傾斜面を有する、
燃料電池用セパレータ。
【請求項４】
請求項１ないし３のいずれかに記載の燃料電池用セパレータであって、
前記貯水部の前記電極と対向する内壁面に、該内壁面から前記電極の表面側に向かって突起し、前記電極と当接する複数の突起部であって、導電性を有する複数の突起部が形成されている、
燃料電池用セパレータ。
【発明の詳細な説明】
【技術分野】
【０００１】
本発明は、燃料電池用セパレータに関するものである。
【背景技術】
【０００２】
燃料ガスと酸化剤ガスとの電気化学反応によって発電する燃料電池がエネルギ源として注目されている。この燃料電池は、一般に、電解質膜の両面に電極を接合してなる膜電極接合体を、セパレータで挟持することによって構成される。セパレータの表面には、燃料電池の電極の表面に沿って発電に供する反応ガスを流すためのガス流路が形成される。なお、このガス流路としては、燃料電池の電極の表面に沿って反応ガスが蛇行して流れるように形成されたサーペンタイン型のガス流路が用いられる場合がある。
【０００３】
そして、このような燃料電池について、従来、反応ガス流路からの排水性を向上させるための種々の技術が提案されている。例えば、下記特許文献１には、燃料電池において、サーペンタイン型の燃料ガス流路の出口側と燃料ガス出口連通孔との間に、これらを連通するバッファ部と連結通路とを設け、連結通路の流路開口断面積を燃料ガス流路の出口側の流路開口断面積よりも小さくすることが記載されている。下記特許文献１に記載された技術によれば、連結流路から燃料ガス出口連通孔に排出される燃料ガスの流速を高め、排水性を向上させることができる。
【先行技術文献】
【特許文献】
【０００４】
【特許文献１】特開２００６−２７８１７７号公報
【発明の概要】
【発明が解決しようとする課題】
【０００５】
ところで、燃料電池の高温運転時には、膜電極接合体における燃料ガス（オフガス）の出口領域では、電解質膜が乾燥しやすくなる。そして、電解質膜が乾燥すると、プロトン伝導性が低下し、燃料電池の発電性能の低下を招く。しかし、上記特許文献１に記載された技術では、この燃料ガス（オフガス）の出口領域における電解質膜の乾燥については、考慮されていなかった。
【０００６】
本発明は、上述の課題を解決するためになされたものであり、膜電極接合体を備える燃料電池において、膜電極接合体のオフガスの出口領域における電解質膜の乾燥を抑制することを目的とする。
【課題を解決するための手段】
【０００７】
本発明は、上述の課題の少なくとも一部を解決するためになされたものであり、以下の形態又は適用例として実現することが可能である。
【０００８】
［適用例１］
燃料電池用セパレータであって、
電解質膜の両面に電極を接合してなる膜電極接合体における前記電極の表面に沿って発電に供する反応ガスが蛇行して流れるように形成されたサーペンタイン型のガス流路と、
前記燃料電池用セパレータの厚さ方向に貫通し、前記電極から排出されたオフガスを前記燃料電池の外部に排出するためのオフガス排出部と、
前記ガス流路の終端に接続され、該ガス流路の終端から排出された前記オフガスが流入するバッファ部であって、前記電極と対向する内壁面に、該内壁面から前記電極の表面側に向かって突起し、前記電極と当接する複数の突起部が形成されたバッファ部と、
前記バッファ部に流入した前記オフガスを前記オフガス排出部に導出するためのオフガス導出流路と、
前記ガス流路から分岐して接続され、該ガス流路を流れる前記反応ガスの一部を分岐して導入し、該導入した前記反応ガスに含まれる水を一時的に貯水する貯水部であって、前記電極と対向する部位において、前記バッファ部の鉛直上方に隣接して設けられ、前記燃料電池用セパレータを前記膜電極接合体に積層したときに、貯水した水が前記電極と接触するように形成された貯水部と、
前記電極と対向する部位において、前記貯水部と前記バッファ部とを隔離する隔壁と、
を備える燃料電池用セパレータ。
【０００９】
適用例１の燃料電池用セパレータを用いた燃料電池では、サーペンタイン型のガス流路およびバッファ部には、反応ガスおよびオフガスとともに、水（例えば、発電によって生成された生成水）も流れる。この水は、オフガスととともに、オフガス導出流路を通じて、オフガス排出部に排出される。この燃料電池において、ガス流路を流れる反応ガスの一部に含まれる水は、一時的に、バッファ部の鉛直上方に隣接して設けられた貯水部に貯水される。そして、この貯水部に貯水された水は、燃料電池用セパレータに積層された膜電極接合体の電極と接触して、膜電極接合体に浸透する。そして、この膜電極接合体に浸透した水は、膜電極接合体における貯水部と対向する部位から、重力によって、隔壁をくぐって、貯水部の鉛直下方に隣接するバッファ部と対向する部位、すなわち、膜電極接合体におけるオフガスの出口領域に移動する。したがって、適用例１の燃料電池用セパレータを燃料電池に用いることによって、膜電極接合体のオフガスの出口領域における電解質膜の乾燥を抑制することができる。本発明は、膜電極接合体のオフガスの出口領域において電解質膜が乾燥しやすくなる燃料電池の高温運転時に特に効果的である。
【００１０】
［適用例２］
適用例１記載の燃料電池用セパレータであって、
前記ガス流路は、
前記反応ガスを水平方向に沿った第１の方向に流すための第１のガス流路と、
前記第１のガス流路の終端に接続され、前記第１のガス流路から流入した前記反応ガスを鉛直下方に流すための第２のガス流路と、
前記第２のガス流路の終端に接続され、前記第２のガス流路から流入した前記反応ガスを前記第１の方向と対向する第２の方向に流すための第３のガス流路と、
を含み、
前記バッファ部は、前記第３のガス流路の終端に接続されており、
前記貯水部は、前記第１のガス流路から分岐して接続されており、該第１のガス流路を流れる前記反応ガスの一部を分岐して導入する、
燃料電池用セパレータ。
【００１１】
適用例２の燃料電池用セパレータでは、膜電極接合体の電極と対向する部位に、ガス流路と、貯水部と、バッファ部と、隔壁とを、面積効率よく配置することができる。したがって、燃料電池用セパレータの小型化、さらには、燃料電池の小型化を図ることができる。
【００１２】
［適用例３］
適用例２記載の燃料電池用セパレータであって、
前記第３のガス流路の終端と、前記バッファ部と、前記オフガス導出流路とは、水平方向に並べて配置されており、
前記オフガス導出流路の上端は、前記第３のガス流路の上端よりも鉛直下方に配置されており、
前記隔壁は、前記第３のガス流路の上端から前記オフガス導出流路の上端に亘って、連続的に傾斜して設けられた傾斜面を有する、
燃料電池用セパレータ。
【００１３】
適用例３の燃料電池用セパレータでは、第３のガス流路の終端と、バッファ部と、オフガス導出流路とは、水平方向に並べて配置されており、オフガス導出流路の上端は、第３のガス流路の上端よりも鉛直下方に配置されている。この場合、バッファ部において、第３のガス流路の上端とオフガス導出流の上端との段差があると、この段差部分に水が滞留しやすい。一方、適用例３の燃料電池用セパレータでは、隔壁が、第３のガス流路の上端からオフガス導出流路の上端に亘って、連続的に傾斜して設けられた傾斜面を有している。このため、バッファ部において、第３のガス流路の上端とオフガス導出流の上端との段差をなくすことができる。そして、適用例３の燃料電池用セパレータを用いた燃料電池では、バッファ部に流入した水を、オフガス、あるいは、燃料電池の運転停止時に燃料電池の外部から供給された掃気ガスの流れによって、隔壁の傾斜面に沿って流動させることができる。したがって、バッファ部において、第３のガス流路の上端とオフガス導出流の上端との段差がある場合よりも、燃料電池の運転停止時に、バッファ部に水が滞留することを抑制することができる。この結果、氷点下時に、バッファ部やオフガス導出流路に残留した水が凍結してガスの流路が閉塞されることを抑制することができる。
【００１４】
［適用例４］
適用例１ないし３のいずれかに記載の燃料電池用セパレータであって、
前記貯水部の前記電極と対向する内壁面に、該内壁面から前記電極の表面側に向かって突起し、前記電極と当接する複数の突起部であって、導電性を有する複数の突起部が形成されている、
燃料電池用セパレータ。
【００１５】
適用例４の燃料電池用セパレータを燃料電池に用いることによって、貯水部の上記内壁面に上記複数の突起部が形成されていない場合よりも、燃料電池の内部抵抗を減少させることができる。
【図面の簡単な説明】
【００１６】
【図１】アノード側セパレータ１００の概略構成を示す説明図である。
【図２】アノード側セパレータ１００の効果を示す説明図である。
【発明を実施するための形態】
【００１７】
以下、本発明の実施の形態について、実施例に基づき説明する。
Ａ．実施例：
図１は、本発明の一実施例としてのアノード側セパレータ１００の概略構成を示す説明図である。このアノード側セパレータ１００は、燃料電池（図示省略）において、膜電極接合体のアノード側に積層される。図１では、アノード側セパレータ１００を、膜電極接合体のアノードと当接する側から見た平面図を示した。
【００１８】
なお、膜電極接合体は、プロトン伝導性を有する電解質膜の両面に電極としての触媒層およびガス拡散層を接合することによって構成されている。触媒層は、電解質膜の表面に、触媒インクを塗布して乾燥させることによって形成される。本実施例では、電解質膜として、ナフィオン（登録商標）等の固体高分子からなる電解質膜を用いるものとした。また、本実施例では、ガス拡散層として、カーボンクロスを用いるものとした。ガス拡散層として、カーボンペーパ等、ガス拡散性、および、導電性を有する他の材料を用いるものとしてもよい。
【００１９】
アノード側セパレータ１００は、１枚の金属プレートを加工することによって作製されている。アノード側セパレータ１００には、例えば、プレス加工や打ち抜き加工によって、ガスや冷却媒体が流れる流路が形成されている。
【００２０】
図１に示したように、アノード側セパレータ１００は、水素供給部１０と、水素導入流路２０と、入口バッファ部３０と、複数のガス流路４０，４２，４４，４６，４８と、貯水部４４ｅと、出口バッファ部５０と、隔壁５２と、アノードオフガス導出流路６０と、アノードオフガス排出部７０と、を備えている。入口バッファ部３０と、複数のガス流路４０，４２，４６，４８と、貯水部４４ｅと、出口バッファ部５０と、隔壁５２とは、膜電極接合体のアノードと対向する矩形領域内（図中に一点鎖線で囲って示した矩形領域内）に配置されている。
【００２１】
水素供給部１０（「水素ｉｎ」と記載）は、アノード側セパレータ１００の厚さ方向に貫通する貫通孔である。水素供給部１０は、燃料電池の外部から供給された水素を燃料電池の積層方向に流すための流路を形成する。また、アノードオフガス排出部７０（「水素ｏｕｔ」と記載）は、アノード側セパレータ１００の厚さ方向に貫通する貫通孔である。アノードオフガス排出部７０は、膜電極接合体のアノードから排出されたアノードオフガスを燃料電池の積層方向に流して燃料電池の外部に排出するための流路を形成する。
【００２２】
水素供給部１０と複数のガス流路４０とは、水素導入流路２０、および、入口バッファ部３０を介して連通している。入口バッファ部３０における膜電極接合体のアノードと対向する内壁面には、この内壁面からアノードと当接する表面側に向かって突起し、アノードと当接する複数の突起部３０ｐが形成されている。
【００２３】
燃料電池の外部から供給された水素は、水素供給部１０から水素導入流路２０を通じて入口バッファ部３０に流入する。そして、この水素は、入口バッファ部３０において複数の突起部３０ｐによって分散されて、複数のガス流路４０に分配される。
【００２４】
複数のガス流路４０，４２，４４，４６，４８は、膜電極接合体のアノードの表面に沿って水素が蛇行して流れるように形成されたサーペンタイン型のガス流路である。このサーペンタイン型のガス流路において、複数のガス流路４０は、入口バッファ部３０から流入した水素を水平方向に沿った方向（図示した例では、右から左）に流すためのガス流路である。また、複数のガス流路４２は、複数のガス流路４０のそれぞれ終端に接続され、複数のガス流路４０から流入した水素をそれぞれ鉛直下方に流すための流路である。また、複数のガス流路４４は、複数のガス流路４２のそれぞれの終端に接続され、複数のガス流路４２から流入した水素をそれぞれ水平方向に沿った方向（図示した例では、左から右）に流すためのガス流路である。また、複数のガス流路４６は、複数のガス流路４４のそれぞれ終端に接続され、複数のガス流路４４から流入した水素をそれぞれ鉛直下方に流すための流路である。また、複数のガス流路４８は、複数のガス流路４６のそれぞれの終端に接続され、複数のガス流路４６から流入した水素をそれぞれ水平方向に沿った方向（図示した例では、右から左）に流すためのガス流路である。複数のガス流路４４は、［課題を解決するための手段］における第１のガス流路に相当する。また、ガス流路４６は、［課題を解決するための手段］における第２のガス流路に相当する。また、ガス流路４８は、[課題を解決するための手段]における第３のガス流路に相当する。
【００２５】
貯水部４４ｅは、複数のガス流路４４の鉛直下方に配置されており、複数のガス流路４４のうちの最下部に位置するガス流路４４から分岐して接続されている。この貯水部４４ｅは、複数のガス流路４４を流れる水素の一部を分岐して導入し、導入した水素に含まれる水を一時的に貯水する。貯水部４４ｅに導入された水素の一部は、貯水部４４ｅと対向する部位の膜電極接合体で消費され、未消費の水素は、ガス流路４４に戻る。貯水部４４ｅは、膜電極接合体のアノードと対向する部位において、出口バッファ部５０の鉛直上方に隣接して設けられている。貯水部４４ｅは、アノード側セパレータ１００を膜電極接合体に積層したときに、貯水した水が膜電極接合体のアノードと接触するように形成されている。貯水部４４ｅと出口バッファ部５０とは、隔壁５２によって隔離されている。したがって、貯水部４４ｅに流入した水素および貯水された水は、直接的には出口バッファ部５０に流入しない。なお、貯水部４４ｅにおける膜電極接合体のアノードと対向する内壁面には、この内壁面からアノードと当接する表面側に突起し、アノードと当接する複数の突起部４４ｐが形成されている。
【００２６】
複数のガス流路４８とアノードオフガス排出部７０とは、出口バッファ部５０、および、アノードオフガス導出流路６０を介して連通している。出口バッファ部５０は、複数のガス流路４８の終端に接続されている。出口バッファ部５０における膜電極接合体のアノードと対向する内壁面には、この内壁面からアノードと当接する表面側に突起し、アノードと当接する複数の突起部５０ｐが形成されている。出口バッファ部５０は、［課題を解決するための手段］におけるバッファ部に相当する。また、アノードオフガス導出流路６０は、［課題を解決するための手段］におけるオフガス導出流路に相当する。
【００２７】
複数のガス流路４８の終端と、出口バッファ部５０と、アノードオフガス導出流路６０とは、水平方向に並べて配置されている。また、アノードオフガス導出流路６０の上端は、複数のガス流路４８の上端よりも鉛直下方に配置されている。そして、隔壁５２は、複数のガス流路４８の上端からアノードオフガス導出流路６０の上端に亘って、連続的に傾斜して設けられた傾斜面を有している。
【００２８】
複数のガス流路４８の終端から排出されたアノードオフガスは、出口バッファ部５０に流入する。このとき、出口バッファ部５０には、アノードオフガスとともに、水（例えば、発電によって生成された生成水）も流入する。出口バッファ部５０では、複数の突起部５０ｐによって、水を含むアノードオフガスの流れ方向が分散される。そして、出口バッファ部５０に流入したアノードオフガスおよび水は、出口バッファ部５０からアノードオフガス導出流路６０を通じてアノードオフガス排出部７０に導出される。
【００２９】
図２は、アノード側セパレータ１００の効果を示す説明図である。図２では、アノード側セパレータ１００を用いた燃料電池における貯水部４４ｅ、出口バッファ部５０、隔壁５２近傍の断面図を示した。そして、図２中に、貯水部４４ｅ、出口バッファ部５０、隔壁５２近傍における水の流れを矢印で示した。
【００３０】
本実施例のアノード側セパレータ１００を用いた燃料電池では、ガス流路４４を流れる水素の一部に含まれる水が、一時的に、出口バッファ部５０の鉛直上方に隣接して設けられた貯水部４４ｅに貯水される。そして、この貯水部４４ｅに貯水された水は、アノード側セパレータ１００に積層された膜電極接合体と接触して、膜電極接合体に浸透する。そして、この膜電極接合体に浸透した水は、膜電極接合体における貯水部４４ｅと対応する部位から、重力によって、隔壁５２をくぐって、貯水部４４ｅの鉛直下方に隣接する出口バッファ部５０と対向する部位、すなわち、膜電極接合体におけるアノードオフガスの出口領域に移動する。したがって、本実施例のアノード側セパレータ１００を燃料電池に用いることによって、膜電極接合体のアノードオフガスの出口領域における電解質膜の乾燥を抑制することができる。本実施例のアノード側セパレータ１００は、膜電極接合体のオフガスの出口領域において電解質膜が乾燥しやすくなる燃料電池の高温運転時に特に効果的である。
【００３１】
また、本実施例のアノード側セパレータ１００では、サーペンタイン型のガス流路は、ガス流路４０，４２，４４，４６，４８を含む。そして、出口バッファ部５０は、ガス流路４８の終端に接続されている。そして、貯水部４４ｅは、ガス流路４４から分岐して接続されており、ガス流路４４を流れる水素の一部を分岐して導入する。このため、図１に示したように、膜電極接合体のアノードと対向する部位に、ガス流路４０，４２，４４，４６，４８と、貯水部４４ｅと、出口バッファ部５０と、隔壁５２とを、面積効率よく配置することができる。したがって、アノード側セパレータ１００の小型化、さらには、燃料電池の小型化を図ることができる。
【００３２】
また、本実施例のアノード側セパレータ１００では、ガス流路４８の終端と、出口バッファ部５０と、アノードオフガス導出流路６０とは、水平方向に並べて配置されており、アノードオフガス導出流路６０の上端は、ガス流路４８の上端よりも鉛直下方に配置されている。この場合、出口バッファ部５０において、ガス流路４８の上端とアノードオフガス導出流路６０の上端との段差があると、この段差部分に水が滞留しやすい。一方、本実施例のアノード側セパレータ１００では、隔壁５２が、ガス流路４８の上端からアノードオフガス導出流路６０の上端に亘って、連続的に傾斜して設けられた傾斜面を有している。このため、出口バッファ部５０において、ガス流路４８の上端とアノードオフガス導出流路６０の上端との段差をなくすことができる。そして、本実施例のアノード側セパレータ１００を用いた燃料電池では、出口バッファ部５０に流入した水を、アノードオフガス、あるいは、燃料電池の運転停止時に燃料電池の外部から供給された掃気ガスの流れによって、隔壁５２の傾斜面に沿って流動させることができる。したがって、出口バッファ部５０において、ガス流路４８の上端とアノードオフガス導出流路６０の上端との段差がある場合よりも、燃料電池の運転停止時に、出口バッファ部５０に水が滞留することを抑制することができる。この結果、氷点下時に、出口バッファ部５０やアノードオフガス導出流路６０に残留した水が凍結してガスの流路が閉塞されることを抑制することができる。
【００３３】
また、本実施例のアノード側セパレータ１００では、貯水部４４ｅにおける膜電極接合体のアノードと対向する内壁面に、この内壁面からアノードの表面側に向かって突起し、アノードと当接する複数の突起部４４ｐが形成されている。そして、この突起部４４ｐは、導電性を有している。したがって、本実施例のアノード側セパレータ１００を燃料電池に用いることによって、貯水部４４ｅの上記内壁面に複数の突起部４４ｐが形成されていない場合よりも、燃料電池の内部抵抗を減少させることができる。
【００３４】
Ｂ．変形例：
以上、本発明の実施の形態について説明したが、本発明はこのような実施の形態になんら限定されるものではなく、その要旨を逸脱しない範囲内において種々なる態様での実施が可能である。例えば、以下のような変形が可能である。
【００３５】
Ｂ１．変形例１：
上記実施例のアノード側セパレータ１００では、サーペンタイン型のガス流路は、ガス流路４０，４２，４４，４６，４８からなるものとしたが、本発明は、これに限られない。アノード側セパレータ１００において、サーペンタイン型のガス流路は、膜電極接合体のアノードの表面に沿って水素が蛇行して流れるように形成されていればよく、他の構成としてもよい。
【００３６】
Ｂ２．変形例２：
上記実施例のアノード側セパレータ１００では、貯水部４４ｅは、ガス流路４４から分岐して接続されており、ガス流路４４を流れる水素の一部を分岐して導入するものとしたが、本発明は、これに限られない。貯水部４４ｅは、サーペンタイン型のガス流路４０，４２，４４，４６，４８を流れる水素の一部を導入し、導入した水素に含まれる水を一時的に貯水することができるように形成されればよい。
【００３７】
Ｂ３．変形例３：
上記実施例のアノード側セパレータ１００では、隔壁５２は、複数のガス流路４８の上端からアノードオフガス導出流路６０の上端に亘って、連続的に傾斜して設けられた傾斜面を有するものとしたが、本発明は、これに限られない。隔壁５２は、鉛直方向に隣接して配置された貯水部４４ｅと出口バッファ部５０とを隔離すればよく、隔壁５２の形状、すなわち、出口バッファ部５０、および、貯水部４４ｅの形状を他の形状としてもよい。
【００３８】
Ｂ４．変形例４：
上記実施例のアノード側セパレータ１００では、貯水部４４ｅにおける膜電極接合体のアノードと対向する内壁面に、この内壁面からアノードの表面側に向かって突起し、アノードと当接する複数の突起部が形成されているものとしたが、本発明は、これに限られない。貯水部４４ｅにおいて、複数の突起部４４ｐを省略するようにしてもよい。
【００３９】
Ｂ５：変形例５：
上記実施例では、本発明の燃料電池用セパレータの構成を、膜電極接合体のアノード側に積層されるアノード側セパレータに適用した場合について説明したが、本発明は、これに限られない。本発明の燃料電池用セパレータの構成を、膜電極接合体のカソード側に積層されるカソード側セパレータに適用するようにしてもよい。
【符号の説明】
【００４０】
１００…アノード側セパレータ
１０…水素供給部
２０…水素導入流路
３０…入口バッファ部
３０ｐ…突起部
４０，４２，４４，４６，４８…ガス流路
４４ｅ…貯水部
４４ｐ…突起部
５０…出口バッファ部
５０ｐ…突起部
５２…隔壁
６０…アノードオフガス導出流路
７０…アノードオフガス排出部
【図１】
2013110058.tif 000003
【図２】
2013110058.tif 000004